(57)【要約】【課題】建築作業現場の作業用具などに付着されたセメントモルタルを、洗浄水で洗い流された際に生じる汚水を固化させて、例えば、産業廃棄物として廃棄処理可能な汚水処理容器及びそれを用いた汚水処理方法を提供する。【解決手段】建築作業現場で生じる汚水Ｗを貯留可能な容器本体１に、０．５〜４．０（ｍｏｌ／ｌ）の濃度の珪酸塩水溶液が収納されてなり、前記汚水を珪酸塩水溶液と混合して固化させるようにしたことを特徴とする。【選択図】図１
2011245370.tif 000002
【特許請求の範囲】
【請求項１】
建築作業現場で生じる汚水を貯留可能な容器本体に、０．５〜４．０（ｍｏｌ／ｌ）の濃度の珪酸塩水溶液が収納されてなり、前記汚水を珪酸塩水溶液と混合して固化させるようにしたことを特徴とする汚水処理容器。
【請求項２】
請求項１に記載の汚水処理容器において、
容器本体は、防水性を備えたポリプロピレンシートによって、一方が開放された袋状に形成され、その開口部には、当該開口部を開閉自在な封止部が設けられている汚水処理容器。
【請求項３】
請求項２に記載の汚水処理容器において、
封止部と間隔をあけた位置には、イージーピールオープン性を有するシール溶着部が形成されている汚水処理容器。
【請求項４】
請求項１〜請求項３のいずれか１項に記載の汚水処理容器において、
容器本体には、汚水の貯留量を印す目印部が表示されており、当該目印部に到達したときの汚水の体積１００に対し、５〜２５の割合（ｖ／ｖ）で珪酸塩水溶液が収納されている汚水処理容器。
【請求項５】
請求項３または請求項４に記載の汚水処理容器において、
シール溶着部は着色され、当該シール溶着部を目印部にしている汚水処理容器。
【請求項６】
請求項２〜５のいずれか１項に記載の汚水処理容器において、
封止部よりも容器本体の開放端側には、取っ手が形成されている汚水処理容器。
【請求項７】
請求項２〜６のいずれか１項に記載の汚水処理容器において、
袋状に形成された容器本体には、当該容器本体を自立可能な底部が形成されている汚水処理容器。
【請求項８】
請求項１〜７のいずれか１項に記載の汚水処理容器において、
容器本体は、汚水が充填されると造形物を形成するように象った形状に形成されている汚水処理容器。
【請求項９】
請求項１〜請求項８のいずれか１項に記載の汚水処理容器内に、
建築作業現場で生じた汚水を充填し、
前記汚水と珪酸塩水溶液とを混合させて、前記汚水を一軸圧縮強度が０．９８メガパスカル（ＭＰａ）以上に固化したうえで、産業廃棄物として廃棄処理する汚水処理方法。
【発明の詳細な説明】
【技術分野】
【０００１】
本発明は、建築作業現場において、作業用具に付着した汚れを洗浄水で洗い流した際に生じる汚水を、固化するのに使用される汚水処理容器及びそれを用いた汚水処理方法に関する。
【背景技術】
【０００２】
一般に、建築作業現場で使用されるセメントモルタル、セメント、しっくい等（以下、「セメントモルタル」と総称する。）は、モルタルミキサーやコンクリートミキサー等によって現場で混錬したうえで、コテなどの作業用具を用いて塗布されている。
【０００３】
ところで、このような建築作業現場で使用された各種ミキサーやコテなどの様々な作業用具には、セメントモルタルが付着するため、作業後には、これら作業用具に付着したセメントモルタルを洗い流さないと、当該セメントモルタルが作業用具にこびり付いてしまう恐れがある。
【０００４】
そのため、建築作業現場においては、前記各種ミキサーに洗浄水を注水して当該各種ミキサー内に付着したセメントモルタルを洗浄したり、或いは、洗浄用バケツに洗浄水を溜めて、当該洗浄用バケツ内で前記コテなどを洗浄したりすることが一般に行われている。
【０００５】
このようにして作業用具に付着したセメントモルタルの汚れを洗浄水で洗い流した際には、これらセメントモルタルを含んだ洗浄水、すなわち汚水が生じる。
【０００６】
この汚水は、古くには、作業現場付近の下水等に流して廃棄処理されていたこともあるが、近年においては、廃棄物処理法・水質汚濁防止法を厳守しなければならないため、下水等に流すことなど、できなくなっている。
【０００７】
また、そのような法律に則って、汚水を処理しようとしても、そもそも建築作業現場で生じた前記汚水は液状であるために、産業廃棄物として廃棄処理することもできない。
【０００８】
そのため、現在では、この汚水は廃棄処理用バケツ等に貯留し、この貯留された汚水に水を加えて希釈したうえで、塩酸、硫酸等にて中和し、沈殿物を濾過して廃棄するようにしている。
【０００９】
只、これら塩酸、硫酸等は、劇毒物取扱い免許を持った者でなければ取り扱いすることができないため、現実には、前記汚水は、専門の処理業者に委託して処理してもらうしかなく、建築作業現場では、産業廃棄物として廃棄処理することができないものである。
【００１０】
ところで、土木現場や建設現場で発生する泥水を処理するために、内面に泥水濾過層を設けた水分通過性の処理容器と、前記処理容器内で泥水を加圧する押圧部材と、を備えた泥水処理装置が知られている（例えば、特許文献１、参照。）。
【先行技術文献】
【特許文献】
【００１１】
【特許文献１】特開２００５−６６４２６号公報
【発明の概要】
【発明が解決しようとする課題】
【００１２】
このように、建築作業現場で生じた汚水を廃棄処理するには、専門の処理業者に委託する必要があるため、当該汚水を処理するために多額の廃棄物処理費用を要していた。
【００１３】
また、従来の泥水処理装置を用いた場合、これを一々作業現場に持ち込まなければならないうえ、前記汚水濾過層が目詰まりすれば、この濾過層を取り替える必要も生じるために、却って汚水の廃棄処理時間や廃棄処理費用を要することになる。
【００１４】
本発明は、かかる課題を解決することを目的とし、建築作業現場で生じる汚水を、簡単且つ安価に廃棄処理可能な汚水処理容器及び汚水処理方法を提供するものである。
【課題を解決するための手段】
【００１５】
上記課題を解決するために、
本発明の汚水処理容器は、建築作業現場で生じる汚水を貯留可能な容器本体に、０．５〜４．０（ｍｏｌ／ｌ）の濃度の珪酸塩水溶液が収納されてなることを特徴にしている。
【００１６】
そのため、本発明では、容器本体内に汚水を充填し、混合するだけで、当該汚水を固化させることができ、例えば、前記汚水を産業廃棄物として安価に廃棄処理することができるのである。
【００１７】
ここで、固化とは、少なくとも自立する程度に固められた状態を意味する。
【００１８】
具体的には、一軸圧縮強度が０．９８メガパスカル（ＭＰａ）以上に固められることが好ましい。
【００１９】
もっとも、産業廃棄物として廃棄処理するためには、廃棄物処理法を厳守しなければならない。
【００２０】
この廃棄物処理法においては、例えば、汚泥の場合には、コーン指数２００ｋＮ／ｍ２以上の状態に固化させる必要がある。
【００２１】
従って、前記汚泥よりも液状化された汚水を固化したものが、一軸圧縮強度０．９８メガパスカル（ＭＰａ）より低い強度あっても、コーン指数２００ｋＮ／ｍ２以上の状態に固められていれば、産業廃棄物の汚泥として、廃棄処理することは可能である。
【００２２】
また、珪酸塩水溶液が、０．５（ｍｏｌ／ｌ）以下の濃度では、汚水を十分な強度に固化することができず、一方、珪酸塩水溶液が、４．０（ｍｏｌ／ｌ）以上の濃度では、分散し難く、汚水と混合することが困難である。
【００２３】
そのため、本発明の珪酸塩水溶液としては、０．５〜４．０（ｍｏｌ／ｌ）の濃度であれば良く、１．０〜２．０（ｍｏｌ／ｌ）の濃度であれば、作業性も良いので、一層好ましい。
【００２４】
なお、珪酸塩水溶液としては、市販の水ガラス、例えば、富士化学工業株式会社、東曹産業株式会社、株式会社トクヤマ等から販売されている既存の水ガラスを用いれば、安価であるため好ましいものである。
【００２５】
また、本発明の容器本体は、ポリプロピレンシートによって、一方が開放された袋状に形成され、その開口部には、当該開口部を開閉自在な封止部が設けられている。
【００２６】
ポリプロピレンシートは、耐水性を備えているので、当該ポリプロピレンシートを袋状に形成したものであれば、収納された前記珪酸塩水溶液が漏水することを防止できるうえ、珪酸塩水溶液に対して耐久性もあるので好ましいものである。
【００２７】
更に、ポリプロピレンシートは、汚水及び珪酸塩水溶液によって固化された固体物（以下、「固形廃棄物」と呼ぶ。）と一緒に産業廃棄物として処理可能なものが多いので、簡単に汚水を廃棄処理することができる。
【００２８】
また、容器本体は、袋状に形成されているので、これを折り曲げたり、折り畳んだりしてコンパクトに収納することができ、保管性や運搬性も高めることができる。
【００２９】
そのため、使用者は、例えば本発明の汚水処理容器を、２つ折乃至４つ折に折り畳んだ状態にして、建築作業現場に複数携帯して行き、建築作業現場で生じた汚水の量に応じて、本発明の汚水処理容器を開封して使用すれば良い。
【００３０】
また、容器本体は、透明なポリプロピレンシートで形成されていれば、汚水の充填状態を外部から確実に目視できるため、一層好ましいものである。
【００３１】
また、容器本体の開口部には、当該開口部を開閉自在な封止部が設けられているため、この封止部を閉止しておけば、容器本体に収納された珪酸塩水溶液の漏水を防止できる。
【００３２】
更に、本発明では、前記封止部と間隔をあけた位置には、イージーピールオープン性を有するシール溶着部が形成されている。
【００３３】
ここで、イージーピールオープン性とは、溶着部分を必要な時に容易に剥離・開封できることを意味し、具体的には、容器本体の開口部を手で広げると、重ね合わされた２枚のポリプロピレンシートが破れることなく、シール溶着部が分離されて開封できることを意味している。
【００３４】
そのため、前記開口部を両手で引っ張らない限り、シール溶着部が分離されて当該開口部が開放されないので、前記封止部と共に、容器本体に収納された珪酸塩水溶液の漏れを確実に防止できる。
【００３５】
なお、このシール溶着部を誤って分離し、開封された場合であっても、前記封止部を閉止しておけば、珪酸塩水溶液の漏れを防止することは可能である。
【００３６】
また、本発明の容器本体には、汚水の貯留量を印す目印部が表示されている。
【００３７】
ここで、目印部としては、容器本体に収納された珪酸塩水溶液に対して、一軸圧縮強度が０．９８メガパスカル（ＭＰａ）以上となる最適な汚水の貯留量を示した目印に限らず、当該目印部の誤差範囲も印した目盛も含む意味である。
【００３８】
そのため、この目印部に到達するようにして容器本体に汚水を充填すれば、当該汚水を均一に充填することができ、その結果、固形廃棄物の硬度を、均一に形成して廃棄処理することができる。
【００３９】
具体的には、目印部に到達したときの汚水の体積１００に対し、５〜２５の割合（ｖ／ｖ）で珪酸塩水溶液が収納されていれば確実に固化することができ、好ましくは、５〜１５の割合（ｖ／ｖ）で珪酸塩水溶液が収納されているのが良い。
【００４０】
例えば、０．５（ｍｏｌ／ｌ）の濃度の珪酸塩水溶液を、汚水の体積１００に対し、５以下の割合（ｖ／ｖ）で混合した場合には、固化されるまでに時間を要し、また、当該濃度の珪酸塩水溶液を、汚水の体積１００に対し、２５以上の割合（ｖ／ｖ）で混合した場合には、容器本体に充填される汚水の充填量が少量になるので、作業効率が悪くなる。
【００４１】
一方、４．０（ｍｏｌ／ｌ）の濃度の珪酸塩水溶液を、汚水の体積１００に対し、５以下の割合（ｖ／ｖ）で混合した場合には、当該汚水に対して珪酸塩水溶液を混合し難く、また、当該濃度の珪酸塩水溶液を、汚水の体積１００に対し、２５以上の割合（ｖ／ｖ）で混合した場合には、容器本体に充填される汚水の充填量が少量になるので、作業効率が悪くなる。
【００４２】
また、前記シール溶着部を着色すれば、当該シール溶着部を前記目印部として兼用させることも可能である。
【００４３】
更に、封止部よりも容器本体の開放端側には、取っ手が形成されており、固形廃棄物を廃棄処理する場合には、前記取っ手を掴んで、建築作業現場から運搬トラックなどに容易に移動できる。
【００４４】
なお、取っ手としては、特に限定されるものではなく、要は、固形廃棄物の重量を持ち上げても、破断、切断などが生じない程度に強度を備えていれば良い。
【００４５】
もっとも、汚水は、建築作業現場での作業後に生じるため、この建築作業現場付近を汚すことはできず、また、建築作業現場付近まで運搬車などを搬入することもできないので、実際には、固形廃棄物が収納された本発明の汚水処理容器は、人力で持ち運んで移動しなければならず、固形廃棄物を含めた当該汚水処理容器の重量が３〜２５ｋｇ、好ましくは、５〜１５ｋｇとなるように、汚水処理容器の貯留量を設定するのが安全である。
【００４６】
本発明の容器本体の形状は、限定されないが、例えば、袋状に形成された容器本体の場合において、容器本体自体を自立可能な底部が形成されていることが好ましい。
【００４７】
底部の形状としては、楕円形、円形、三角形、四角形などの様々な形状を採用できるが、何れの形状であっても、容器本体を自立させた状態にすれば、汚水を一人でも簡単に容器本体内に充填することができる。
【００４８】
更に、本発明では、容器本体の形状を所望の形状に形成することで、本来、産業廃棄物として廃棄処理される固形廃棄部を建築材料等の造形物として再利用することも可能にしている。
【００４９】
具体的には、本発明の容器本体は、固形廃棄物が、円柱、角柱、円錐、角錐、動物やキャラクターなどの造形物となるように象った形状に形成されている。
【００５０】
また、固形廃棄物は、一軸圧縮強度が０．９８メガパスカル（ＭＰａ）以上の硬度に形成されているので、本発明の汚水処理容器によって形成された固形廃棄物は、例えば、花壇の廻りに埋設されるブロック体、或いは、外壁に埋設される化粧ブロック等の造形物として、再利用することができるのである。
【００５１】
そして、本発明の汚水処理方法によれば、前記のような汚水処理容器に所定量の汚水を充填して、混合するだけで、汚水が固化されて、当該汚水を簡単且つ確実に産業廃棄物として廃棄処理できるのである。
【発明の効果】
【００５２】
本発明に係る汚水処理容器及びそれを用いた汚水処理方法によれば、建築作業現場などで生じた汚水を、容器本体に充填して混合するだけで、前記汚水を確実に固化することができるので、前記汚水を簡単且つ安価に廃棄処理することができる。
【図面の簡単な説明】
【００５３】
【図１】本発明の一実施形態を示す汚水処理容器Ａの斜視図である。
【図２Ａ】（ａ）〜（ｃ）は、図１の汚水処理容器Ａを用いた汚水処理方法の一実施例を示す工程図である。
【図２Ｂ】（ｄ）、（ｅ）は、図２の汚水処理方法によって固形廃棄物Ｓが形成された汚水処理容器Ａの斜視図である。
【図３】（ａ）、（ｂ）は、図１〜図２Ｂで示した取っ手７の他の実施形態を示す部分拡大図である。
【図４】（ａ）〜（ｄ）は、図１〜図２Ｂで示した底部８の他の実施形態を示す底面図である。
【図５Ａ】（ａ）〜（ｃ）は、本発明の汚水処理容器Ａによって象った固形廃棄物（造形物）Ｓを示す斜視図である。
【図５Ｂ】（ｄ）、（ｅ）は、本発明の汚水処理容器Ａによって象った固形廃棄物（造形物）Ｓを示した斜視図である。
【発明を実施するための形態】
【００５４】
以下、本発明の一実施形態を図面に基づいて説明する。
【００５５】
図１は、本発明の一実施形態を示す汚水処理容器Ａの斜視図である。
【００５６】
本実施形態の汚水処理容器Ａは、建築作業現場で生じる汚水Ｗを貯留可能な容器本体１と、この容器本体１に収納された０．５〜４．０（ｍｏｌ／ｌ）の濃度の珪酸塩水溶液２とを、備えている。以下、各部材について詳説する。
【００５７】
容器本体１は、防水性を備えた透明なポリプロピレンシートを２枚重ね合わせ、図中上方に示す一辺を除いて、その周端縁を熱溶着することで袋状に形成している。
【００５８】
そのため、容器本体１の上方には、容器本体１の内外に通じる開口部５が形成されている。
【００５９】
この開口部５の上端から間隔をあけた下方には、２ヶ所の長穴を打抜き加工して取っ手７を形成している。
【００６０】
取っ手７の下方には、更に間隔をあけて、２枚のポリプレピレンシートによって形成された開口部５を開閉自在な封止部３を形成している。
【００６１】
本実施形態の封止部３としては、容器本体１の幅方向（図中、左右方向）に亘って、線条の雄条及び雌条を対向させて溶着し、これら雄条及び雌条が咬合されて開口部５が封止される所謂、ジッパーシール（「ジッパーテープ」とも呼ばれる。）を設けている。
【００６２】
また、封止部３の下方には、更に間隔をあけて、容器本体１の幅方向（図中、左右方向）に亘って、イージーピールオープン性を有するシール溶着部４が並設されている。
【００６３】
シール溶着部４の近傍には、汚水Ｗの適量な充填量を示す目印部６が印されており、ここでは、汚水Ｗの貯留量が１０Ｌとなる位置に目印部６を印している。
【００６４】
ここで、汚水の貯留量は、１０Ｌ以下であっても勿論構わないが、建築作業現場で作業者が持ち運びできる重さとしては、その全体重量が２５ｋｇ以下、好ましくは２０ｋｇ以下となるように前記貯留量を設定しておくのが安全である。
【００６５】
本実施形態では、このシール溶着部４を容器本体１と異なる色に着色することで、当該シール溶着部４を目印部６として兼用したものを示している。
【００６６】
また、本実施形態の位置に目印部６を印した場合では０．５Ｌ〜２．５Ｌ、好ましくは、０．５Ｌ〜１．５Ｌの珪酸塩水溶液２が、容器本体１内に収納されているのが良い。
【００６７】
すなわち、本発明者の実験によれば、０．５Ｌの珪酸塩水溶液２（市販の水ガラス）を収納した容器本体１内に、ＰＨ値の異なる汚水１０Ｌを充填し、混合、放置した場合、いずれも、自立可能な固形廃棄物Ｓを形成できることが確認された。
【００６８】
なお、容器本体１には、底面側から見れば、略楕円状の底部８が形成されるが、この底部８は、容器本体１が自立可能な形状に形成するのが望ましい。
【００６９】
以上のように構成した本実施形態の汚水処理容器１は、以下のようにして使用する。
【００７０】
図２Ａ（ａ）〜（ｃ）は、図１の汚水処理容器Ａを用いた汚水処理方法の一実施例を示す工程図であり、図２Ｂ（ｄ）、（ｅ）は、図２の汚水処理方法によって固形廃棄物Ｓが形成された汚水処理容器Ａの斜視図である。
【００７１】
まず、洗浄水を洗浄用バケツに充填しておき、この洗浄用バケツ内で建築作業現場において使用されたコテなどを洗浄して、前記洗浄用バケツに汚水Ｗを貯留しておく。
【００７２】
また、各種ミキサー内に洗浄水を充填して、当該各種ミキサー内に汚水が貯留されている場合には、前記洗浄用バケツに代えて、各種ミキサーをそのまま使用しても構わない。
【００７３】
なお、汚水Ｗには、水性ペンキが付着された刷毛、ローラーなどの作業用具を洗浄した洗浄水を一緒に混入することも可能である。
【００７４】
次に、本実施形態の汚水処理容器Ａの開口部５を両手で持って、相互を開放方向に引っ張ってシール溶着部４を剥離したうえで、封止部３及びシール溶着部４を開放する〔図２Ａ（ａ）、（ｂ）参照。〕。
【００７５】
次に、この開放された開口部５に向けて、前記洗浄用バケツに貯留された汚水Ｗを目印部６の位置まで充填する〔図２Ａ（ｃ）参照。〕。
【００７６】
この汚水Ｗの充填によって、当該汚水Ｗと珪酸塩水溶液２とが混ざり合って固化反応が始まり、好ましくは、汚水Ｗを攪拌しながら汚水Ｗと珪酸塩水溶液２とが均一に混ざり合うように混合した後、５〜１０分程度、自然条件下で放置すれば、容器本体１内に貯留された汚水Ｗ及び珪酸塩水溶液２が固化され、０．９８メガパスカル（ＭＰａ）以上の固形廃棄物Ｓが形成される〔図２Ｂ（ｄ）参照。〕。
【００７７】
このとき、容器本体１の封止部３を封止することが可能であれば、当該封止部３を封止するのが望ましい〔図２Ｂ（ｅ）参照。〕。
【００７８】
そして、この固形廃棄物Ｓが収納された容器本体１の取っ手７を持って、産業廃棄物として廃棄処理するのである。
【００７９】
このように、本実施形態の汚水処理容器Ａ及び汚水処理方法によれば、建築作業現場などで生じた汚水Ｗを、容器本体１に充填して混合するだけで、汚水Ｗを固化させて一軸圧縮強度が０．９８メガパスカル（ＭＰａ）以上の固化廃棄物Ｓを形成できるので、固化された汚水Ｗ、すなわち固形廃棄物Ｓを産業廃棄物として安価に廃棄処理することができる。
【００８０】
図３（ａ）、（ｂ）は、図１〜図２Ｂで示した取っ手７の他の実施形態を示す部分拡大図である。
【００８１】
なお、図１〜図２Ｂと共通する部位には、同一の符号を付し、重複する説明については省略する。
【００８２】
図３（ａ）で示した取っ手７は、封止部３と容器本体１の開放端との間に、幅広のシート部分７１が形成されたものを示している。
【００８３】
また、図３（ｂ）で示した取っ手７は、長尺の帯体の両端部を容器本体１の上端に固着して、ループ状に形成されたものを示している。
【００８４】
本実施形態で示した汚水処理容器Ａであれば、シート部分７１又はループ状の長さ分の余裕ができるので、固形廃棄物Ｓの厚みが大きくても、取っ手７を中心部分で集結することができ、取っ手７を確実に掴んで運搬作業時における持ち運びを容易にできる。
【００８５】
図４（ａ）〜（ｄ）は、図１〜図２Ｂで示した底部８の他の実施形態を示す底面図である。
【００８６】
これら図４（ａ）〜（ｄ）で示すように、容器本体１の底部８としては、円形、正方形、正六角形、長方形などの所望の形状に形成することが可能であるが、本実施形態で示したような底部８に形成すれば、容器本体１を容易に自立することができるので、当該容器本体１を自立させた状態にして、汚水Ｗを一人で簡単に充填することができる。
【００８７】
図５Ａ（ａ）〜（ｃ）及び図５Ｂ（ｄ）、（ｅ）は、本発明の汚水処理容器Ａによって象った固形廃棄物Ｓを示す斜視図である。
【００８８】
前述の通り、本実施形態の汚水処理容器Ａ及び汚水処理方法によれば、建築作業現場で生じる汚水Ｗを固化して、産業廃棄物として廃棄処理することができる。
【００８９】
ところで、本実施形態の汚水Ｗが固化された固形廃棄物Ｓは、一軸圧縮強度が０．９８メガパスカル（ＭＰａ）以上の固体物である。
【００９０】
そのため、本実施形態では、この廃棄処理される固形廃棄物Ｓを、例えば、花壇の廻りに埋設されるブロック体、或いは、外壁に埋設される化粧ブロック等の造形物として、再利用することを提案するものである。
【００９１】
すなわち、本発明の汚水処理容器Ａを型材として使用し、汚水Ｗを充填して固形廃棄物Ｓを形成した後、その容器本体１だけを廃棄すれば、図５Ａ（ａ）に示すような略楕円柱状の造形物（固形廃棄物）Ｓを形成することができる。
【００９２】
同様にして、図５Ａ（ｂ）で示すような円柱状、図５Ａ（ｃ）で示すようなブロック状、図５Ｂ（ｄ）で示すような角錐状、更には、図５Ｂ（ｅ）で示すような動物等のキャラクター柄の造形物（固形廃棄物）Ｓを象った形状の汚水処理容器Ａも形成することができる。
【００９３】
これら様々な形状の造形物（固形廃棄物）Ｓは、例えば、地中に埋設して、縁石や花壇周りのブロック体として使用することができ、或いは、外壁などに埋設して、壁面の化粧材として使用することが可能である。
【００９４】
このように、本発明の汚水処理容器Ａ及びそれを用いた汚水処理方法によれば、従来、産業廃棄物として廃棄処理できなかった汚水Ｗを、産業廃棄物として廃棄処理できるだけに止まらず、更には、固化された造形物（固形廃棄物）Ｓを建築、土木材料として再利用することもできるものである。
【符号の説明】
【００９５】
Ａ    汚水処理容器
Ｗ    汚水
Ｓ    固形廃棄物
１    容器本体
２    珪酸塩水溶液
３    封止部
４    シール溶着部
５    開口部
６    目印部
７    取っ手
８    底部
【図１】
2011245370.tif 000003
【図２Ａ】
2011245370.tif 000004
【図２Ｂ】
2011245370.tif 000005
【図３】
2011245370.tif 000006
【図４】
2011245370.tif 000007
【図５Ａ】
2011245370.tif 000008
【図５Ｂ】
2011245370.tif 000009